(57)【要約】【課題】座り姿勢の作業者の位置を固定した状態であっても、複数の作業を容易に行える、使い勝手の良い作業用ターンテーブルを提供することを課題とする。【解決手段】作業用ターンテーブル１０は、床に載せる若しくは固定する固定部分１１と、この固定部分１１の上部に鉛直軸廻りに回転自在に設けた回転部分２０とからなり、この回転部分１２に作業用部品類１２Ａ、１２Ｂを載せる。  固定部分１１は、回転部分２０を載せることができる水平な天板１３と、この天板１３を支える脚部１４とを備えている。【効果】作業用部品類が傾斜しているので、座り作業者は、前かがみになることなく作業用部品類に手が届き、使い勝手がよい。さらに、回転部分に載せた作業用部品類が回転するので、作業者は位置を固定した状態で、複数の作業を円滑に行うことができる利点がある。【選択図】図１
2009113174.tif 000002
【特許請求の範囲】
【請求項１】
床に載せる若しくは固定する固定部分と、この固定部分の上部に鉛直軸廻りに回転自在に設けた回転部分とからなり、この回転部分に作業用部品類を載せることができる作業用ターンテーブルにおいて、
前記回転部分には、水平面に対して傾斜させるとともに前記作業用部品類を載せることができる傾斜部材を、複数備えていることを特徴とする作業用ターンテーブル。
【請求項２】
前記回転部分は、水平に配置される回転板と、この回転板に設けられる前記傾斜部材と、これらの傾斜部材を、傾斜角が変更できるように前記回転板に連結するヒンジと、前記回転板に前記傾斜部材を固定するロック機構とからなることを特徴とする請求項１記載の作業用ターンテーブル。
【発明の詳細な説明】
【技術分野】
【０００１】
本発明は、作業用部品類を載せることができる作業用ターンテーブルの改良に関するものである。
【背景技術】
【０００２】
作業者が複数の作業を行うには、作業ごとに異なる場所に移動することがある。この場合には、作業者が同じ場所で複数の作業を実現することができるテーブルがあると便利であり、この要求に応えることができる作業用ターンテーブルが提案されている（例えば、特許文献１参照。）。
【特許文献１】実開平４−１９５１７号公報（第１図）
【０００３】
特許文献１を次図に基づいて説明する。
図６は従来の技術の基本原理を説明する図であり、（ａ）に示すように、作業者１０１が複数の作業をする場合には、まず、作業用ターンテーブル１０２の回転板１０３上の第１の物品１０４に対して作業を施す。
【０００４】
次に、回転板１０３を回転軸１０５を中心にして鉛直軸廻りに矢印（１）の向きに回転させることで、第２の物品１０６が作業者１０１の正面に移動する。作業者１０１は、第２の物品１０６に対して作業を施す。
【０００５】
ところで（ｂ）に示すように、作業者１０１が立ち姿勢の場合は、視線の高い位置から回転板１０３の上面１０７を見渡すことができ、容易に作業が行える。
しかし、作業者１０８が車いす１０９を利用して座り姿勢になる場合には、腰の位置が低くなり上半身しか動かせず、回転板１０３の上面１０７をのぞき込む形となるため、前かがみで作業を行う必要がある。
【０００６】
すなわち、座り姿勢の作業者にとっては使い勝手が悪く、作業性がよいとは言えない。
車いす利用者など、座り姿勢の作業者であっても容易に作業が行えて使い勝手が良く、かつ、作業者の位置を固定した状態で複数の作業が行える作業用ターンテーブルが求められる。
【発明の開示】
【発明が解決しようとする課題】
【０００７】
本発明は、座り姿勢の作業者であっても、使い勝手の良い作業用ターンテーブルを提供することを課題とする。
【課題を解決するための手段】
【０００８】
請求項１に係る発明は、床に載せる若しくは固定する固定部分と、この固定部分の上部に鉛直軸廻りに回転自在に設けた回転部分とからなり、この回転部分に作業用部品類を載せることができる作業用ターンテーブルにおいて、
前記回転部分には、水平面に対して傾斜させるとともに前記作業用部品類を載せることができる傾斜部材を、複数備えていることを特徴とする。
【０００９】
請求項２に係る発明では、回転部分は、水平に配置される回転板と、この回転板に設けられる傾斜部材と、これらの傾斜部材を、傾斜角が変更できるように前記回転板に連結するヒンジと、前記回転板に傾斜部材を固定するロック機構とからなることを特徴とする。
【発明の効果】
【００１０】
請求項１に係る発明では、固定部分の上部に作業用部品類を載せた傾斜部材を複数備えている回転部分が鉛直軸廻りに回転する。作業用部品類が傾斜しているので、座り作業者は、前かがみになることなく作業用部品類に手が届き、使い勝手がよい。さらに、回転部分に載せた作業用部品類が回転するので、作業者は移動することなく、複数の作業を円滑に行うことができる。
【００１１】
請求項２に係る発明では、傾斜部材の傾斜角を任意に設定できる。作業者は好みの傾斜角に傾斜部材を設定できるので、作業用ターンテーブルの利便性が高まる。
【発明を実施するための最良の形態】
【００１２】
本発明を実施するための最良の形態を添付図に基づいて以下に説明する。
図１は本発明に係る作業用ターンテーブルの斜視図であり、作業用ターンテーブル１０は、床に載せる若しくは固定する固定部分１１と、この固定部分１１の上部に鉛直軸廻りに回転自在に設けた回転部分２０とからなり、この回転部分２０に作業用部品類１２Ａ、１２Ｂを載せることができる。
【００１３】
固定部分１１は、回転部分２０を載せることができる水平な天板１３と、この天板１３を支える複数本（実施例では４本）の脚部１４と、を備えている。
脚部１４は、天板１３の下面から鉛直下向きに延び中空である四角柱部１５と、この四角柱部１５の一対の対面する測面に設けられた複数の貫通穴１６と、前記四角柱部１５の中空部分に差し込まれ摺動する摺動部材１７と、前記貫通穴１６に支持され摺動部材１７の位置決めをするボルト１８と、このボルト１８を固定する蝶ナット１９とを備える。
【００１４】
天板１３の高さ、すなわち床から天板１３までの距離を変更するには、まず、蝶ナット１９を緩めてボルト１８を四角柱部１５の貫通穴１６から外す。
次に、摺動部材１７を鉛直方向に摺動させて、脚部１４の長さを調整し、天板１３の高さを決める。ボルト１８を貫通穴に差し込み、蝶ナット１９により締め付けると、四角柱部１５に摺動部材１７が固定され、床から天板１３までの距離が保持される。
【００１５】
回転部分２０は、前記天板１３の上面に設置され鉛直軸廻りに回転する回転機構２１と、この回転機構２１の上部に設けられ水平面に対して傾斜させるとともに前記作業用部品類１２を載せることができる複数の傾斜部材３５とを備える。
【００１６】
図２は図１の２−２線断面図であり、回転機構２１は、天板１３の上面に固定ピン２２で固定される固定板２３と、この固定板２３の中心に鉛直上向きに備えられた回転軸２４と、この回転軸２４を中心にして前記固定板２３の上面に設置された円形状のスラスト軸受２５と、このスラスト軸受２５の上に設置されて前記回転軸２４を中心にして回転する回転板２８と、この回転板２８の中心に接続され回転軸２４を受けるメタルブッシュ２９と、前記回転軸２４の上部に固定され、前記回転板２８が回転軸２４から外れないように押さえるナット３１と、前記回転板２８の上面に立てられた一対の柱３２と、この一対の柱３２に掛け渡された梁３３と、この梁３３と回転板２８の端に傾斜した状態で掛け渡された複数のクロスメンバー３４と、を備える。
【００１７】
傾斜部材３５は、これらのクロスメンバー３４の上部に固定された枠部３６と、枠部３６の外側に起立形成したストッパ片３７と、からなる。
なお、傾斜部材３５が傾斜していることにより作業用部品類１２Ａが滑り落ちる虞があるが、本発明では、枠部３６の外側にストッパ片３７を設けたので、作業用部品類１２Ａの落下を防ぐこともできる。
【００１８】
以上の構成からなる作業用ターンテーブルの作用を次に述べる。
図３は作業用ターンテーブルの作用説明図であり、（ａ）に示すように、水平からθ１だけ傾斜させた傾斜部材３５に作業用部品類１２Ａ、１２Ｂを載せて、車いす４１に座った作業者４２が作業を行っている形態を示す。
傾斜した作業面の手前にある部品に対して作業をする場合は、作業者４２は実線で示す姿勢になる。傾斜した作業面の奥にある部品に対して作業をする場合は、作業者４２は想像線で示すように、軽く前屈した姿勢になる。
【００１９】
比較のため、（ｂ）に示すように、水平なテーブル１０２で車いす１０９に座った作業者１０８が作業を行っている形態を示す。
作業面の手前にある部品に対して作業をする場合は、作業者１０８は実線で示す姿勢になる。作業面の奥にある部品に対して作業をする場合は、作業者１０８は想像線で示すように、深く前屈した姿勢になる。
【００２０】
（ａ）に示す作業者４２の姿勢は傾斜角θ１が約３０°の場合に現れる。（ｂ）に示す作業者１０８の姿勢は傾斜角θ１がゼロに近い場合に現れる。
すなわち、傾斜部材３５をθ１だけ水平から傾斜させたことにより、作業姿勢を（ｂ）に示す形態から（ａ）に示す形態に変化させることができる。
【００２１】
作業姿勢が（ａ）に示す形態であれば、作業面の手前にある部品に対して作業をする場合だけでなく、作業面の奥にある部品に対して作業をする場合も、前屈の程度が軽微であり、作業性の向上が図れる。
作業面が傾斜しているので、座り姿勢の作業者は、強く前かがみになることなく作業面に手が届き、座り作業を容易に実現することができる。
【００２２】
さらに、（ａ）に示すように、回転部分２０を回転させることにより、作業者４２の位置を固定した状態で、作業用部品類１２Ａと作業用部品類１２Ｂに対して作業を行うことができる。
すなわち、２種類の作業を円滑に行うことができる。
【００２３】
以上に述べた作業用ターンテーブルの別実施例を以下に説明する。
図４は本発明の別実施例を説明する図（平面図）であり、（ａ）に示すように、回転部分２０は、傾斜部材３５を３つ備える。
作業者の位置を固定した状態で、作業用部品類１２Ａと作業用部品類１２Ｂと作業用部品類１２Ｃに対して作業を行うことができる。
【００２４】
また、（ｂ）に示すように、回転部分２０は、傾斜部材３５を４つ備える。
作業者の位置を固定した状態で、作業用部品類１２Ａと作業用部品類１２Ｂと作業用部品類１２Ｃと作業用部品類１２Ｄに対して作業を行うことができる。
すなわち、回転部分２０は、傾斜部材３５は２つに限定せず、複数備えてもよく、作業の種類に応じた数の傾斜部材３５に作業用部品類１２を載せて作業を行うことができる。
【００２５】
図２で説明した傾斜部材３５は、高さが固定の梁３３と回転板２８の端に傾斜した状態で掛け渡されているため、水平からの傾斜角が固定されているが、傾斜角を調整可能にすることもできる。その例を次に説明する。
図５は本発明の更なる別実施例を説明する図（側面図）であり、図２と同様の部材は符号を流用して詳細な説明は省略する。
【００２６】
すなわち、回転部分２０には、前記回転板２８に設けられる前記傾斜部材３５と、これらの傾斜部材３５を傾斜角が変更できるように前記回転板２８に連結するヒンジ４６と、前記回転板２８に前記傾斜部材３５を固定するロック機構５０が設けられている。
【００２７】
ロック機構５０は、回転板２８から立ち上げられ、ヒンジ４６の軸を中心とする円弧形状の下部支持板５１と、この下部支持板５１と対になり、前記傾斜部材３５から立ち下げられた上部支持板５２と、この上部支持板５２に下部に設けられた固定ボルト５３と、この固定ボルト５３と対になる蝶ナット５４と、を備える。
【００２８】
第２の実施例の作用を説明する。
まず、蝶ナット５４を緩め、傾斜部材３５をヒンジ４６の軸を中心に想像線で示すように回動させて位置を決める。このとき、固定ボルト５３は、下部支持板５１に設けられた長溝５５に沿って移動する。
次に、下部支持板５１と上部支持板５２を、固定ボルト５３と蝶ナット５４により挟んで締め付けると、傾斜部材３５の位置が保持される。
【００２９】
作業の状況に合わせて傾斜角を調整するので、最適な姿勢で作業を行え、作業効率を上げることができる。
【００３０】
尚、本発明の作業机は、実施の形態では車いすの作業者に適用したが、座り姿勢で作業するのであれば、普通の椅子に座る作業者に適用可能である。
【産業上の利用可能性】
【００３１】
本発明の作業用ターンテーブルは、座り姿勢で作業をするための作業用ターンテーブルに好適である。
【図面の簡単な説明】
【００３２】
【図１】本発明に係る作業用ターンテーブルの斜視図である。
【図２】図１の２−２線断面図である。
【図３】作業用ターンテーブルの作用説明図である。
【図４】本発明の別実施例を説明する図である。
【図５】本発明の更なる別実施例を説明する図である。
【図６】従来の技術の基本原理を説明する図である。
【符号の説明】
【００３３】
１０…作業用ターンテーブル、１１…固定部分、１２…作業用部品類、２０…回転部分、２８…回転板、３５…傾斜部材、４６…ヒンジ、５０…ロック機構。
【図１】
2009113174.tif 000003
【図２】
2009113174.tif 000004
【図３】
2009113174.tif 000005
【図４】
2009113174.tif 000006
【図５】
2009113174.tif 000007
【図６】
2009113174.tif 000008